(57)【要約】【課題】流れ方向Ｌで細長い管路区分１６と、該管路区分内でほぼ流れ方向に向けられた加熱エレメント３８と、保持エレメント装置４６とを有し、該保持エレメント装置によって加熱エレメント３８が管路区分１６内で、この管路区分の内側面４０に対して間隔を保って支持され、前記加熱エレメント３８の周囲を、管路区分内で移動する燃料が環流する形式の、内燃機関に燃料を供給する管路システムを改良して、燃焼室にガイドされる燃料を、確実な燃焼のためにも適した温度に迅速に加熱できるようにする。【解決手段】管路区分１６の第１の端部領域２２から燃焼室に通じる導出部２４，３６と、管路区分の第２の端部領域２０から間隔を保って管路区分内に開口する流入部３４とが設けられており、保持エレメント装置４６が、管路区分１６と共に、流入部３４から第２の端部領域２０に通じる流れ経路８０を仕切っている。【選択図】      図１
2004346761.tif 000002
【特許請求の範囲】
【請求項１】
内燃機関に燃料を供給するための、殊に自動車のヒータ内に設けられた管路システムであって、流れ方向（Ｌ）で長く延びる管路区分（１６）と、該管路区分（１６）内でこの管路区分の長手方向でほぼ流れ方向（Ｌ）に方向付けられた加熱エレメント（３８）と、保持エレメント装置（４６）とを有しており、該保持エレメント装置（４６）によって加熱エレメント（３８）が管路区分（１６）内で、この管路区分（１６）の内側面（４０）に対して間隔を保って支持されており、前記加熱エレメント（３８）の周囲を、管路区分（１６）内で移動する燃料が環流するようになっている形式のものにおいて、
管路区分（１６）の第１の端部領域（２２）から燃焼室に通じる導出部（２４，３６）と、管路区分（１６）の第２の端部領域（２０）から間隔を保って管路区分（１６）内に開口する流入部（３４）とが設けられており、保持エレメント装置（４６）が、管路区分（１６）と共に、流入部（３４）から第２の端部領域（２０）に通じる流れ経路（８０）を仕切っていることを特徴とする、内燃機関に燃料を供給するための燃料管路システム。
【請求項２】
保持エレメント装置（４６）が、互いに逆向きに方向付けられた、加熱エレメント（３８）の側面（４８，５０）に沿って延びる２つの保持エレメント（４２，４４）を有している、請求項１記載の燃料管路システム。
【請求項３】
導出部（２４，３６）が、管路区分（１６）から燃料噴霧ノズル（２８）に通じている、請求項１又は２記載の燃料管路システム。
【請求項４】
管路区分（１６）が流入部（３４）及び／又は導出部（２４）を備えてポンプケーシング部分（１２）内に設けられている、請求項１から３までのいずれか１項記載の燃料管路システム。
【請求項５】
加熱エレメント（３８）がＰＴＣ加熱エレメントである、請求項１から４までのいずれか１項記載の燃料管路システム。
【発明の詳細な説明】
【０００１】
【発明の属する技術分野】
本発明は、内燃機関に燃料を供給するための、特に自動車のヒータ内に設けられた管路システムであって、流れ方向で長く延びる管路区分と、該管路区分内でこの管路区分の長手方向でほぼ流れ方向に方向付けられた加熱エレメントと、保持エレメント装置とを有しており、該保持エレメント装置によって加熱エレメントが管路区分内で、この管路区分の内側面に対して間隔を保って支持されており、前記加熱エレメントの周囲を、管路区分内で移動する燃料が環流するようになっている形式のものに関する。
【０００２】
【従来の技術】
しばしばエンジンとは無関係にいわゆるパーキングヒータ若しくは補助ヒータ（Ｓｔａｎｄｈｅｉｚｕｎｇ）として自動車に使用されるヒータにおいては、外気温度が低い場合にこのような加熱装置を有利に使用することに基づいて、燃焼室内に導入された燃料が所定の最低温度を有するように、配慮されなければならない。このような最低温度は、一方では、確実な点火及びクリーンな燃焼を保証し、他方では、燃料が噴霧ノズルによって導入される場合に適した噴霧が行われるようにするために必要である。特に粘性が高すぎる燃料において発生する不十分な又は不均一な噴霧において、点火が得られないか、又は点火が非常にゆくっりと行われるか、若しくは点火されても多量の有害物質放出が発生する危険性がある。
【０００３】
低すぎる燃料温度の問題を解決するために、例えばノズルストック（Ｄｕｅｓｅｎｓｔｏｃｋ）と称呼された、応答する噴霧ノズルを支持する構成部分を加熱パトローネによって加熱することが公知である。ノズルストックを加熱することによって、このノズルストックに形成された管路区分内を貫流する燃料も加熱される。しかしながらこの場合、燃料を間接的に加熱することによって、加熱の過程が比較的緩慢であり、それによって燃料の温度変化に対して相応の時間で反応され得ないという問題がある。また一般的に、例えば黄銅若しくは真鍮等の良好な熱伝導率を有する金属から構成されているノズルストックによって、熱は別の構成部材にも伝達されるので、熱損失が大きい。
【０００４】
【発明が解決しようとする課題】
そこで本発明の課題は、内燃機関に燃料を供給するための燃料管路システムを改良して、燃焼室にガイドされる燃料を、確実な燃焼のためにも適した温度に迅速に加熱するために配慮することができるようにすることである。
【０００５】
【課題を解決するための手段】
この課題を解決した本発明によれば、内燃機関に燃料を供給するための、特に自動車のヒータ内に設けられた管路システムであって、流れ方向で細長く延びる管路区分と、該管路区分内でこの管路区分の長手方向でほぼ流れ方向に方向付けられた加熱エレメントとを有しており、該加熱エレメントの周囲を、管路区分内で移動する燃料が環流するようになっている。
【０００６】
【発明の効果】
加熱エレメントを管路区分内に直接組み込んだことによって、燃焼室に供給された燃料は、加熱エレメントの周囲を自動的に環流するようになっていて、この場合、この燃料は、何らかのケーシング部分又はこれと類似のものを介在させることなしに加熱されるようになっている。このような形式で、燃料を加熱する際に、変化する温度状態に迅速に反応せしめられ、加熱したくない又は加熱されるべきでない別のシステム構成部材への熱の導出は著しく減少される。加熱エレメントが、加熱エレメントの長手方向で、加熱しようとする燃料によって環流されるという事実に基づいて、比較的小さい構造寸法でも、比較的長い加熱区間が提供されるので、非常に低い外気温度及び相応に低い燃料温度においても、燃料は、燃焼室にガイドされる際に適当な温度に加熱される。
【０００７】
簡単な形式で管路区分内に組み込まれた加熱エレメントに接触することができるようにするために、管路区分は端部領域が開放して構成されていて、加熱エレメントを有する閉鎖エレメントのための接続部によって閉鎖されている構成が提案されている。
【０００８】
加熱エレメントと管路区分若しくはこの管路区分を有する構成部分との間の、直接的な熱伝達を、できるだけ避けるようにするために、保持エレメント装置が設けられており、該保持エレメント装置によって加熱エレメントが管路区分内で、この管路区分の内側面に対して間隔を保って支持されている。この場合、保持エレメント装置は少なくとも２つの保持エレメントを有している。これら２つの保持エレメントを介して、閉鎖エレメントに設けられた接続部が、加熱エレメントと電気的に接続される。このことから、保持エレメント装置の保持エレメントが２つの周辺条件に関連して選択されるべきであることが分かる。１つの周辺条件は、加熱エレメントから管路区分の内側面への熱伝達を最少にするために、できるだけ低い熱伝導率を有していなければならない。別の周辺条件は、流入部における電気的な損失を最少にするために、できるだけ小さい電気抵抗を有していなければならない。特に電気的な損失の最少化に関連して、保持エレメント装置の保持エレメントが加熱エレメントの逆向きに方向付けられた側面に沿って、これらの側面に延びるように構成されていれば有利である。このような形式で、加熱エレメントの全長に亘って加熱エレメントのできるだけ大面積に亘る接触若しくは均一な接触が可能である。
【０００９】
本発明による燃料管路システムはさらに、管路区分の第１の端部領域から燃焼室に通じる導出部と、管路区分の第２の端部領域から間隔を保って管路区分内に開口する流入部とが設けられており、保持エレメント装置が、管路区分と共に、流入部から第２の端部領域に通じる流れ経路を仕切っていることを特徴としている。このような形式で特に燃料供給が次のように行われることが保証される。つまり、既に前もって反応した加熱エレメントの接触も問題なしに行われ、それによって、燃料の加熱が行われる流れ経路領域の短縮が生じないように、燃料供給が行われることが保証される。
【００１０】
前述のように、管路区分は、燃料霧化ノズルに通じていて、ポンプケーシング内に流入部及び／又は流出部を設けることができる。
【００１１】
エネルギー損失の最少化及び迅速な調整に関連して、特に有利な構成によれば、加熱エレメントがＰＣＴエレメントである。つまり、加熱エレメントは、温度の上昇に伴って抵抗も高くなる抵抗・温度特性を有している。その結果、加熱エレメントに沿って流れる燃料が高い温度を有していて、燃料内の損失熱がわずかであって、ひいては加熱エレメント自体がより高い温度を有することになる。次いでより高い電気抵抗に基づいて電流が低下し、ひいては熱に変換された電気出力が低下する。前記抵抗・温度特性を適当に選択すれば、外部の制御システムの干渉を不必要にする自動制御が得られる。
【００１２】
【発明の実施の形態】
次に本発明の実施の形態を図示の実施例を用いて具体的に説明する。
【００１３】
図面には、本発明による燃料管路システムが概略的に符号１０で示されている。燃料管路システム１０は、主に、符号１２で示されたケーシング構成部分内に収容されているか、若しくはこのケーシング構成部分１２に組み込んで構成されている。ケーシング構成部分１２は例えば、燃料ポンプのポンプケーシングの端部接続部であってよい。
【００１４】
細長い付加部１４が管路区分１６を形成している。管路区分１６内には袋孔状の開口１８が形成されている。この開口１８は端部領域２０内に開口している。別の端部領域２２内には、開口１８の長手方向に対してほぼ直交（ｏｒｔｈｏｇｏｎａｌ）している出口開口２４が開口している。出口開口２４の領域内で、付加部１４に固定区分２６が形成されており、この固定区分２６内に、噴霧ノズル２８を支持するねじ山付き部分３０がねじ込まれている。Ｏリング状のシールエレメント３２によって、ケーシング部分１２の付加部１４とねじ山付き部分３０との間の液密な閉鎖が維持される。
【００１５】
入口開口３４を介して、図示していないポンプから搬送された燃料が付加部１４に設けられた開口１８内に流入する。この入口開口３４は、端部領域２０から離れた領域内で開口１８内に開口している。噴霧ノズル２８に供給された燃料は、相次いで入口開口３４、開口１８並びに出口開口２４、及びこの出口開口２４に整列された、ねじ山付き部分３０に形成された開口３６を通って貫流する。
【００１６】
開口１８若しくは、この開口１８を拡張する管路区分１６内には加熱エレメント３８が挿入されている。図１及び図２には、図示の実施例では方形に構成された加熱エレメント３８が、長手方向で開口１８若しくは管路区分１６の長手軸線Ｌに沿って方向付けられていることが示されている。加熱エレメント３８が、開口１８を包囲する管路区分１６の内側面４０と直接的に熱伝導接触しないように、加熱エレメント３８を管路区分１６内で位置決め保持するために、２つの加熱エレメント４２，４４を有する保持エレメント装置４６が設けられている。互いにほぼ同じ構造の２つの保持エレメント４２，４４（例えば金属薄板材料から真折り曲げ成形することができる）は、加熱エレメント３８のそれぞれ１つの側面４８若しくは５０を負荷する、加熱エレメント３８の側面４８，５０の平らな面状の形状に合わせて、同様にほぼ平らに構成された領域５２若しくは５４を有しており、また、領域５２若しくは５４にそれぞれ続いて、内側面４０の湾曲された形状に合わせて湾曲して構成された領域５６，５８若しくは６０，６２を有している。保持エレメント４２，４４の固有弾性によって、保持エレメント４２，４４は、加熱エレメント３８を、プレロード（予圧）下で開口１８内での位置で保持する。この場合、加熱エレメント３８の全長に亘って頑丈な位置決めが得られ、２つの保持エレメント４２，４４は有利な形式で加熱エレメント３８のほぼ全長に沿って延びている。
【００１７】
開口１８はその端部領域２０で、閉鎖エレメント６４によって閉鎖されている。液密な閉鎖を得るために、閉鎖エレメント６４と付加部１４との間にＯリング状のシールエレメント６６が設けられている。堅固な保持は、閉鎖エレメント６４と、付加部１４の半径方向突起６８とをブリッジする保持リング７０によって得られる。閉鎖エレメント６４内には２つの電気的な接点７２，７４が設けられている。付加部１４に取り付けられた閉鎖エレメント６４において、これらの接点７２，７４は、２つの保持エレメント４２，４４内に係合し、それぞれ内側面４０と接触する領域５６，６２から折り曲げられた接点区分７６，７８に接触する。これらの接点区分７６，７８は、領域５６，６２から再び領域５２，５４に延びている。つまり、開口１８内に設けられた加熱エレメント３８の電気的な接触は、閉鎖エレメント６４の接点７２，７４及び、加熱エレメント３８の両長手方向側面４８，５０に接触する保持エレメント４２，４４を介して行われる。この場合、電気的な接触抵抗をできるだけ小さく維持するために、加熱エレメント３８と、保持エレメント４２，４４の領域５２，５４との間の最大可能な接触面を設けるようにすれば有利である。例えば図３で分かるように、加熱エレメント３８の側面４８，５０のほぼ全面的な接触が設けられている。このような全面的な接触によって、一方では、加熱エレメントのこの領域内で加熱しようとする燃料が、加熱エレメント３８の周囲を直接流れないようになっており、他方では、このような大きい面状の接触を介して、保持エレメント４２，４４に比較的良好に熱伝達が行われる。このような相反する接触要求間の妥協を得るために、例えば保持エレメント４２，４４の領域５２，５４に、加熱エレメント３８の全長に亘って分配して複数の舌片状の区分を打ち抜きによって形成し、これらの区分を加熱エレメント３８に向かって湾曲させ、それによって側面４８，５０に亘って分配された、加熱エレメント３８の複数の領域において、このような複数の舌片（接触舌片）によって加熱エレメント３８が接触せしめられ、そうでなければ燃料流内に露出して位置している。接触舌片の大きさは、一方では良好な電気的接触と、他方では可能な限り小さい熱伝達接触との間の、最適な妥協が得られるように、選定される。
【００１８】
図１及び図３には、入口開口３４を介して供給される燃料がまず流れ経路８０を通って開口１８の端部領域２０に向かってガイドされることが示されている。この流れ経路８０は、主に、付加部１４に設けられた、開口１８に沿って端部領域２０に向かって延びる溝８２によって形成されており、該溝８２は、開口１８に向かって、そうでなければ内側面４０に位置する保持エレメント４４の領域６２によって閉鎖されている。このような形式で、入口開口３４を介して導入された燃料が有利にはまず端部領域２０に達し、次いでこの端部領域から、管路区分１６内で加熱エレメント３８の全長に亘ってこの加熱エレメント３８に沿って流れるようになっている。これによって、図示の管路システム１０の比較的コンパクトな構造寸法において、加熱エレメント３８から、加熱しようとする燃料への可能な限り効率的な熱伝達が得られる。加熱された燃料は、次いで噴霧ノズル２８に達する。
【００１９】
管路システム１０の本発明の構成によって、燃料に伝達しようとする熱が燃料に直接的に引き渡され、前もって、いずれかのケーシング構成部材を一緒に加熱することがないように、配慮されるようになっている。これは、加熱エレメント３８に相応に適した給電を行うことによって、温度変化に著しく迅速に反応させることができ、さらに熱損失を減少させることができる。温度変化に対する迅速な反応及び、加熱するために必要な電気エネルギーの効率的な利用は、加熱エレメント３８がＰＣＴエレメントであることによって、さらに改善される。ＰＣＴエレメントは、次のような加熱特性を有している。つまり、このＰＣＴエレメントが強く加熱されるのに伴って、その電気的な抵抗が所定の形式で増大し、それによって例えば一定に維持された印加電圧ひいては低下する電流において、加熱効率が低下するという加熱特性を有している。このような形式の加熱エレメントの抵抗・温度特性を適当に選択することによって、所定の温度領域のために、このような特性だけによって加熱エレメント３８の固有特性を提供することができる。この加熱エレメント３８の固有特性は、外部からの干渉を必要とせず、またガイドされた燃料の温度を検出するための付加的な温度センサを必要としない。
【００２０】
本発明による管路システム１０は、電気的な需要出力を最少化し、また発生した熱損失を最少化すると共に、噴霧ノズルに直接供給される燃料を非常に迅速に加熱することができる。このような形式で、噴霧ノズル２８の噴霧特性を、ガイドされた燃料の温度に最適に合わせることができる。それによって、燃焼室内に導入された燃料の燃焼特性が著しく改善される。燃焼開始のために必要な時間は、本発明による管路システムを設けることによって著しく短縮される。最適な燃料に基づいて有害物質放出も減少される。さらに、本発明の構成による管路システムは、構造が比較的簡単であるという利点を有している。この比較的簡単な構造において、１つの加熱エレメントが管路区分内に完全に組み込まれているにも拘わらず、電気的な接触が簡単に得られる。特に本発明によるシステムが、そうでなければ存在するケーシング部分内に組み込まれていることによって、非常に安価で容易に製造可能な構造が得られる。このケーシング部分は、有利な形式で、場合によっては発生する熱負荷に基づいて、温度変化に対して強いプラスチック、例えばポリフェニレンサルファイド（ＰＰＳ）より構成されている。
【図面の簡単な説明】
【図１】本発明のよる燃料管路システムの、一部破断した斜視図である。
【図２】図１のＩＩ−ＩＩ線に沿って断面した縦断面図である。
【図３】図１のＩＩＩ−ＩＩＩ線に沿って断面した横断面図である。
【符号の説明】
１０  燃料管路システム、  １２  ケーシング構成部分、  １４  細長い付加部、  １６  管路区分、  １８  袋状の開口、  ２０，２２  端部領域、  ２４出口開口、  ２６  固定区分、  ２８  噴霧ノズル、  ３０  ねじ山付き部分、  ３２  Ｏリング状のシールエレメント、  ３４  入口開口、  ３６  開口、３８  加熱エレメント、  ４０  内側面、  ４２，４４  保持エレメント、  ４６  保持エレメント装置、  ４８，５０  側縁、  ５２，５４  平らに構成された領域、  ５６，５８，６０，６２  湾曲して構成された領域、  ６４  閉鎖エレメント、  ６６  シールエレメント、  ６８  半径方向突起、  ７０  保持リング、  ７２，７４  接点、  ７６，７８  接触区分、  ８０  流れ経路、  ８２  溝
【図１】
2004346761.tif 000003
【図２】
2004346761.tif 000004
【図３】
2004346761.tif 000005